【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
ステイプラを有するフィニッシャまで用紙を搬送することのできる画像形成装置であって、
前記ステイプラは、前記画像形成装置から搬送されてきた前記用紙を綴じることができ、かつ、前記ステイプラが用紙を綴じることのできる位置まで差し込み口からユーザにより差し込まれた用紙を綴じることができ、
前記画像形成装置は、
用紙に画像を形成する画像形成手段と、
前記位置に用紙がない状態において、前記ステイプラのステイプル機能を停止させる制御を実行し、前記位置に用紙がある状態において、前記差し込み口から用紙を抜くことを求めるメッセージを表示手段に表示させる制御手段と、
を有することを特徴とする画像形成装置。
【請求項２】
前記制御手段は、前記位置に用紙があることを条件として、前記差し込み口から用紙を抜くことを求めるメッセージを前記表示手段に表示させることを特徴とする請求項１に記載の画像形成装置。
【請求項３】
前記フィニッシャは、前記位置までユーザにより差し込まれた用紙を検知する検知手段を更に有することを特徴とする請求項１または２に記載の画像形成装置。
【請求項４】
前記制御手段は、前記検知手段が用紙を検知していることに基づき、前記メッセージを前記表示手段に表示させることを特徴とする請求項３に記載の画像形成装置。
【請求項５】
前記制御手段は、前記検知手段が用紙を検知していないことに基づき、前記ステイプラへの電力の供給を停止させることを特徴とする請求項３または４に記載の画像形成装置。
【請求項６】
前記制御手段は、前記検知手段が用紙を検知していないことに基づき、ユーザにより指定された時刻に前記ステイプラへの電力供給を停止させることができ、前記検知手段が用紙を検知していることに基づき、前記時刻になっても前記ステイプラへの電力供給を継続させることを特徴とする請求項３乃至５のいずれか一項に記載の画像形成装置。
【請求項７】
前記画像形成手段は、前記フィニッシャへ搬送される用紙に画像を形成することを特徴とする請求項１乃至６のいずれか一項に記載の画像形成装置。
【請求項８】
差し込み口から差し込まれた用紙を検知する検知手段を有するフィニッシャを装着可能で、前記フィニッシャへ電力供給が可能であり、かつ、画像が形成された用紙を前記フィニッシャに搬送することが可能であり、
前記検知手段で検知される位置に用紙がないことを条件として、所定のイベントをトリガとする前記フィニッシャへの電力供給停止を行う電力停止手段を有する画像形成装置であって、
前記フィニッシャは、前記画像形成装置から搬送されてきた用紙をステイプルする第１の機能と、前記検知手段により検知された用紙をステイプルする第２の機能を実行することができ、
前記画像形成装置は、
前記検知手段により検知された用紙を取り除くことを求めるメッセージを表示手段に表示させる制御手段を有することを特徴とする画像形成装置。
【請求項９】
前記所定のイベントは、ユーザが設定した時刻を迎えたことに基づき発行されるイベントであることを特徴とする請求項８に記載の画像形成装置。
【請求項１０】
前記所定のイベントは、ユーザが最後に画像形成装置の操作部を操作してから所定の時間、前記操作部に対するいずれの操作も受け付けなかったことに基づき発行されるイベントであることを特徴とする請求項８に記載の画像形成装置。
【請求項１１】
前記所定のイベントは、ユーザにより前記フィニッシャへの電力供給を停止するための操作が実行されたことに基づき発行されるイベントであることを特徴とする請求項８に記載の画像形成装置。
【請求項１２】
前記電力停止手段は、前記検知手段により検知される位置に用紙がある場合、前記所定のイベントをトリガとする前記フィニッシャへの電力供給の停止を行わないことを特徴とする請求項８乃至１１のいずれか一項に記載の画像形成装置。
【請求項１３】
前記画像形成装置は、前記第１の機能によりステイプルされる用紙に画像を形成することをできる画像形成手段を更に有することを特徴とする請求項９乃至１２のいずれか一項に記載の画像形成装置。
【請求項１４】
搬送されてきた用紙をステイプルする第１の機能と、ユーザにより差し込み口から差し込まれた用紙をステイプルする第２の機能を有するフィニッシャを装着可能な画像形成装置であって、
前記フィニッシャへ電力を供給する電力供給手段と、
用紙を前記フィニッシャへ搬送する搬送手段と、
前記差し込み口から用紙が所定の位置まで差し込まれていないことを条件として、前記フィニッシャへの前記電力供給手段による電力供給を停止する電力停止手段と、
前記差し込み口から用紙を取り除くことを求める通知を行う通知手段と、
を有することを特徴とする画像形成装置。
【請求項１５】
前記フィニッシャは、前記所定の位置まで差し込まれた用紙を検知する検知手段を有し、
前記通知手段は、前記検知手段による用紙の検知に基づき、前記通知を行うことを特徴とする請求項１４に記載の画像形成装置。
【請求項１６】
前記電力停止手段は、前記検知手段による用紙の検知がなされていないことに基づき、前記フィニッシャへの前記電力供給手段による電力供給を停止することを特徴とする請求項１５に記載の画像形成装置。
【請求項１７】
前記電力停止手段は、前記検知手段による用紙の検知がなされていないことに基づき、ユーザにより指定された時刻に、前記フィニッシャへの前記電力供給手段による電力供給を停止することを特徴とする請求項１６に記載の画像形成装置。
【請求項１８】
用紙に画像を形成する画像形成手段を更に有し、
前記搬送手段は、前記画像形成手段により画像が形成された用紙を搬送することを特徴とする請求項１４乃至１７のいずれか一項に記載の画像形成装置。
【請求項１９】
前記フィニッシャは、前記第１の機能、および、前記第２の機能で用紙を綴じる際に用いられるステイプラを有することを特徴とする請求項８乃至１８のいずれか一項に記載の画像形成装置。
【請求項２０】
ステイプラを有するフィニッシャまで用紙を搬送することのできる画像形成装置の制御方法であって、
前記ステイプラは、前記画像形成装置から搬送されてきた前記用紙を綴じることができ、かつ、前記ステイプラが用紙を綴じることのできる位置まで差し込み口からユーザにより差し込まれた用紙を綴じることができ、
前記画像形成装置の制御方法は、
用紙に画像を形成する画像形成工程と、
前記位置に用紙がない状態において、前記ステイプラのステイプル機能を停止させる制御を実行し、前記位置に用紙がある状態において、前記差し込み口から用紙を抜くことを求めるメッセージを表示手段に表示させる制御工程と、
を有することを特徴とする画像形成装置の制御方法。
【請求項２１】
前記制御工程では、前記位置に用紙があることを条件として、前記差し込み口から用紙を抜くことを求めるメッセージを前記表示手段に表示させることを特徴とする請求項２０に記載の画像形成装置の制御方法。
【請求項２２】
前記フィニッシャは、前記位置までユーザにより差し込まれた用紙を検知する検知手段を有し、前記画像形成装置の制御方法は、前記検知手段による検知結果を受信する受信工程を更に有することを特徴とする請求項２０または２１に記載の画像形成装置の制御方法。
【請求項２３】
差し込み口から差し込まれた用紙を検知する検知手段を有するフィニッシャを装着可能で、前記フィニッシャへ電力供給が可能であり、かつ、画像が形成された用紙を前記フィニッシャに搬送することが可能な画像形成装置の制御方法であって、
前記フィニッシャは、前記画像形成装置から搬送されてきた用紙をステイプルする第１の機能と、前記検知手段により検知された用紙をステイプルする第２の機能を実行することができ、
前記画像形成装置の制御方法は、
前記検知手段で検知される位置に用紙がないことを条件として、所定のイベントをトリガとする前記フィニッシャへの電力供給停止を行う電力停止工程と、
前記検知手段により検知された用紙を取り除くことを求めるメッセージを表示手段に表示させる制御工程と、
を有することを特徴とする画像形成装置の制御方法。
【請求項２４】
前記電力停止工程では、前記検知手段により検知される位置に用紙がある場合、前記所定のイベントをトリガとする前記フィニッシャへの電力供給の停止を行わないことを特徴とする請求項２３に記載の画像形成装置の制御方法。
【請求項２５】
搬送されてきた用紙をステイプルする第１の機能と、ユーザにより差し込み口から差し込まれた用紙をステイプルする第２の機能を有するフィニッシャを装着可能であり、用紙を前記フィニッシャへ搬送する搬送手段を有する画像形成装置の制御方法であって、
前記フィニッシャへ電力を供給する電力供給工程と、
前記差し込み口から用紙が所定の位置まで差し込まれていないことを条件として、前記フィニッシャへの電力供給を停止する電力停止工程と、
前記差し込み口から用紙を取り除くことを求める通知を行う通知工程と、
を有することを特徴とする画像形成装置の制御方法。
【請求項２６】
前記フィニッシャは、前記所定の位置まで差し込まれた用紙を検知する検知手段を有し、
前記通知工程では、前記検知手段による用紙の検知に基づき、前記通知を行うことを特徴とする請求項２５に記載の画像形成装置の制御方法。
【請求項２７】
前記電力停止工程では、前記検知手段による用紙の検知がなされていないことに基づき、前記フィニッシャへの電力供給を停止することを特徴とする請求項２６に記載の画像形成装置の制御方法。
【手続補正２】
【補正対象書類名】明細書
【補正対象項目名】発明の名称
【補正方法】変更
【補正の内容】
【発明の名称】画像形成装置及びその制御方法
【手続補正３】
【補正対象書類名】明細書
【補正対象項目名】０００１
【補正方法】変更
【補正の内容】
【０００１】
本発明は、画像形成装置及びその制御方法に関する。
【手続補正４】
【補正対象書類名】明細書
【補正対象項目名】００１０
【補正方法】変更
【補正の内容】
【００１０】
上記目的を達成するために本発明の一態様に係る画像形成装置は、ステイプラを有するフィニッシャまで用紙を搬送することのできる画像形成装置であって、前記ステイプラは、前記画像形成装置から搬送されてきた前記用紙を綴じることができ、かつ、前記ステイプラが用紙を綴じることのできる位置まで差し込み口からユーザにより差し込まれた用紙を綴じることができるように構成されており、前記画像形成装置は、用紙に画像を形成する画像形成手段と、前記位置に用紙がない状態において、前記ステイプラのステイプル機能を停止させる制御を実行し、前記位置に用紙がある状態において、前記差し込み口から用紙を抜くことを求めるメッセージを表示手段に表示させる制御手段と、を有することを特徴とする。
【手続補正５】
【補正対象書類名】明細書
【補正対象項目名】００８４
【補正方法】削除
【補正の内容】
【手続補正６】
【補正対象書類名】明細書
【補正対象項目名】００８６
【補正方法】削除
【補正の内容】